(57)【要約】  【課題】  低コストなシステムであって、携帯端末の非接触ＩＣ媒体にＥメールアドレスを記憶させるＥメールアドレス登録システムを提供する。また、非接触ＩＣ媒体を内蔵する携帯端末を用いて希望する情報データを配信してその場で配信されたか否かを確認できるような情報配信システムを提供する。  【解決手段】  Ｅメールアドレス登録プログラム作成サーバ６０は、通信キャリアサーバ４０から送信されたＥメールデータから送信元のＥメールアドレスを抽出する手段として機能し、抽出した送信元のＥメールアドレスを非接触ＩＣ媒体に書き込むように携帯端末１０の通信装置を制御するＥメールアドレス登録プログラムを作成する手段として機能し、このＥメールアドレス登録プログラムにより携帯端末１０が非接触ＩＣ媒体にＥメールアドレスを書き込むようにしたＥメールアドレス登録システムとした。また、この携帯端末１０を用いて希望する情報データを配信する情報配信システムとした。【選択図】  図１
2006330903.tif 000002
【特許請求の範囲】
【請求項１】
ＥメールデータおよびＷｅｂデータを送受信するようになされた通信装置と、読み書き可能な非接触ＩＣ媒体と、が一体に搭載されてなる携帯端末と、
携帯端末の通信装置とＥメールデータおよびＷｅｂデータを送受信するようになされた通信キャリアサーバと、
携帯端末の通信装置のＥメールアドレスを非接触ＩＣ媒体に書き込むためのＥメールアドレス登録プログラムを作成するようになされたＥメールアドレス登録プログラム作成サーバと、
を有するＥメールアドレス登録システムであって、
携帯端末の通信装置は、
Ｅメールアドレス登録プログラム作成サーバへＥメールデータを送信する手段として機能し、
通信キャリアサーバは、
携帯端末の通信装置から送信されたＥメールデータをＥメールアドレス登録プログラム作成サーバへ送信する手段として機能し、
Ｅメールアドレス登録プログラム作成サーバは、
通信キャリアサーバから送信されたＥメールデータから送信元のＥメールアドレスを抽出する手段として機能し、
抽出した送信元のＥメールアドレスを非接触ＩＣ媒体に書き込むように携帯端末の通信装置を制御するＥメールアドレス登録プログラムを作成する手段として機能し、
Ｅメールアドレス登録プログラムをダウンロードさせるサイトに登録する手段として機能し、
Ｅメールアドレス登録プログラムをダウンロードさせるサイトを指すＷｅｂアドレスをリンクした返信Ｅメールデータを送信する手段として機能し、
通信キャリアサーバは、
Ｅメールアドレス登録プログラム作成サーバから送信された返信Ｅメールデータを携帯端末の通信装置へ送信する手段として機能し、
携帯端末の通信装置は、
Ｅメールアドレス登録プログラム作成サーバから送信された返信ＥメールデータにリンクされたＷｅｂアドレスへアクセスするＷｅｂコマンドを送信する手段として機能し、
通信キャリアサーバは、
携帯端末の通信装置から送信されたＷｅｂコマンドをＥメールアドレス登録プログラム作成サーバへ送信する手段として機能し、
Ｅメールアドレス登録プログラム作成サーバは、
通信キャリアサーバから送信されたＷｅｂコマンドから送信元のＷｅｂアドレスを抽出する手段として機能し、
Ｅメールアドレス登録プログラムを含むＷｅｂデータを送信元のＷｅｂアドレスにあてて送信する手段として機能し、
通信キャリアサーバは、
Ｅメールアドレス登録プログラム作成サーバから送信されたＷｅｂデータを携帯端末の通信装置へ送信する手段として機能し、
携帯端末の通信装置は、
ＷｅｂデータからＥメールアドレス登録プログラムを抽出して自らに書き込む手段として機能し、
非接触ＩＣ媒体に通信装置のＥメールアドレスを書き込む手段として機能し、
これにより携帯端末の非接触ＩＣ媒体からＥメールアドレスが読出し可能になされることを特徴とするＥメールアドレス登録システム。
【請求項２】
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続される配信情報データベースと、を有する情報配信部と、
を備える情報配信システムであって、
請求項１のＥメールアドレス登録システムにより非接触ＩＣ媒体にＥメールアドレスが書き込まれた携帯端末が何れかの区分表示部にあてがわれた場合、
この区分表示部に裏設されるＲ／Ｗ部は、
携帯端末の非接触ＩＣ媒体からＥメールアドレスを読み出す読出手段として機能し、
ＥメールアドレスにＲ／Ｗ部識別データを付加して中央処理部へ送信する送信手段として機能し、
情報選択端末の中央処理部は、
ＥメールアドレスおよびＲ／Ｗ部識別データを情報配信部へ送信する送信手段として機能し、
情報配信部の情報配信サーバは、
配信情報データベースからＲ／Ｗ部識別データと関連付けられて登録されている情報提供元の配信情報データを読み出す読出手段として機能し、
Ｅメールアドレスで特定される携帯端末の通信装置へ、配信情報データを含むＥメールデータを配信する配信手段として機能し、
携帯端末の非接触ＩＣ媒体により情報選択端末で選択された配信情報データを含むＥメールデータが、携帯端末の通信装置へ配信されることを特徴とする情報配信システム。
【請求項３】
請求項２に記載の情報配信システムにおいて、
前記情報選択端末は、
Ｒ／Ｗ部の上面に区分表示部を直接貼付して情報表示部を形成することを特徴とする情報配信システム。
【請求項４】
請求項２に記載の情報配信システムにおいて、
前記情報選択端末はボードを備え、
ボード上に複数の区分表示部が貼付けられるとともに、区分表示部の裏側にＲ／Ｗ部が設けられることを特徴とする情報配信システム。
【発明の詳細な説明】
【技術分野】
【０００１】
本発明は、携帯端末が内蔵する非接触ＩＣ媒体にＥメールアドレスを登録するＥメールアドレス登録システム、および、この非接触ＩＣ媒体に登録したＥメールアドレスを用いて携帯端末へ利用者が所望の情報を配信する情報配信システムに関する。
【背景技術】
【０００２】
情報配信システムの従来技術として例えば特許文献１（特開２００４−３００６９号公報，発明の名称「配信データ管理装置、配信データ管理方法及び配信用ラック」）が知られている。この従来技術について図を参照しつつ説明する。図８は従来技術の配信データ管理装置の説明図である。配信データ管理装置２００は、カタログラック２０１、アンテナ制御部２０２、制御用コンピュータ２０３、通信ネットワーク接続部２０４、データベース２０５、印刷部２０６を備えている。カタログラック２０１は、更にマルチアンテナシート２０１ａ、複数（６×４個）のアンテナ部２０１ｂを備える。
【０００３】
このような配信データ管理装置２００によれば、図示しない非接触ＩＣ媒体を展示会・イベント・店舗内等でのＩＤ（例えばＩＤカード）として使用し、カタログ請求者が請求時にアドレスや住所等を記憶した非接触ＩＣ媒体を、会場内に設置されたカタログラック２０１のアンテナ部２０１ｂに近づけることで、制御用コンピュータ２０３は非接触ＩＣ媒体に記憶されたアドレスや住所などの情報を読み取り、読み取られた情報をデータベース２０５に記憶し、さらにその情報に基づいて、データベース２０５に記憶されているカタログデータを通信ネットワーク接続部２０４を通じて自動的にインターネットを介して配信したり、印刷部２０６からカタログを印刷して郵送する。
【０００４】
【特許文献１】特開２００４−３００６９号公報
【発明の開示】
【発明が解決しようとする課題】
【０００５】
しかしながら、特許文献１に記載された従来技術の情報配信システムを一般的な銀行・スーパーマーケット・ショッピングモール・コンビニエンスストア等に設置したとしても、専用の非接触ＩＣ媒体を用いるのでは、利用者が新たにカードを作成するようなことをきらい、この情報配信システムを利用したくなくなるおそれがあった。
このため、従来技術の情報配信システムは、展示会等のように特別なイベントに限定され、普及が図りにくいきらいがあった。
【０００６】
そこで、非接触ＩＣ媒体および通信装置を内蔵する携帯端末（これは、例えば「おサイフケータイ」という非接触ＩＣ媒体（ＦｅｌｉCａ：登録商標）を含む携帯電話である）が普及しつつあることに着目し、この携帯電話の非接触ＩＣ媒体に情報配信システムを使用するのに必要なＥメールアドレスを記憶させることができれば、専用の非接触ＩＣ媒体を採用する必要もなくなり、情報配信システムの普及に資すると考えられる。
【０００７】
しかしながら、Ｅメールアドレスは、携帯端末自身では自端末のＥメールアドレスを管理しておらず（つまり携帯端末自信にＥメールアドレスが記録されていない）、通信キャリア（携帯電話会社のサーバ）側で管理しているため、単に携帯端末のみ操作しただけでは、Ｅメールアドレスを非接触ＩＣ媒体に書き込む事が出来なかった。その結果、利用者のＥメールアドレスを新規登録するために、非接触ＩＣ媒体とＥメールアドレスとの煩わしい紐付け作業が必要になるという問題があった。
【０００８】
また、紐付け作業をするにしても、現状では携帯端末の非接触ＩＣ媒体にＥメールアドレスを記憶させる装置等も存在せず、新たなカードライター等の登録装置の開発が必要となる。しかしながら、このような登録装置を開発に加え、情報配信システムが設置されている多数箇所毎に登録装置を設置する必要があることから初期の設置コストもかさむものであった。したがって、カードライターのような登録装置を採用しないですむ他の手法を採用したいという事情があった。
【０００９】
そこで、本発明は、上述の課題を解決するためになされたものであり、その目的は、低コストなシステムであって、携帯端末の非接触ＩＣ媒体にＥメールアドレスを記憶させるＥメールアドレス登録システムを提供することにある。
また、非接触ＩＣ媒体を内蔵する携帯端末を用いて希望する情報データを配信してその場で配信されたか否かを確認できるような情報配信システムを提供することにある。
【課題を解決するための手段】
【００１０】
本発明の請求項１に係るＥメールアドレス登録システムは、
ＥメールデータおよびＷｅｂデータを送受信するようになされた通信装置と、読み書き可能な非接触ＩＣ媒体と、が一体に搭載されてなる携帯端末と、
携帯端末の通信装置とＥメールデータおよびＷｅｂデータを送受信するようになされた通信キャリアサーバと、
携帯端末の通信装置のＥメールアドレスを非接触ＩＣ媒体に書き込むためのＥメールアドレス登録プログラムを作成するようになされたＥメールアドレス登録プログラム作成サーバと、
を有するＥメールアドレス登録システムであって、
携帯端末の通信装置は、
Ｅメールアドレス登録プログラム作成サーバへＥメールデータを送信する手段として機能し、
通信キャリアサーバは、
携帯端末の通信装置から送信されたＥメールデータをＥメールアドレス登録プログラム作成サーバへ送信する手段として機能し、
Ｅメールアドレス登録プログラム作成サーバは、
通信キャリアサーバから送信されたＥメールデータから送信元のＥメールアドレスを抽出する手段として機能し、
抽出した送信元のＥメールアドレスを非接触ＩＣ媒体に書き込むように携帯端末の通信装置を制御するＥメールアドレス登録プログラムを作成する手段として機能し、
Ｅメールアドレス登録プログラムをダウンロードさせるサイトに登録する手段として機能し、
Ｅメールアドレス登録プログラムをダウンロードさせるサイトを指すＷｅｂアドレスをリンクした返信Ｅメールデータを送信する手段として機能し、
通信キャリアサーバは、
Ｅメールアドレス登録プログラム作成サーバから送信された返信Ｅメールデータを携帯端末の通信装置へ送信する手段として機能し、
携帯端末の通信装置は、
Ｅメールアドレス登録プログラム作成サーバから送信された返信ＥメールデータにリンクされたＷｅｂアドレスへアクセスするＷｅｂコマンドを送信する手段として機能し、
通信キャリアサーバは、
携帯端末の通信装置から送信されたＷｅｂコマンドをＥメールアドレス登録プログラム作成サーバへ送信する手段として機能し、
Ｅメールアドレス登録プログラム作成サーバは、
通信キャリアサーバから送信されたＷｅｂコマンドから送信元のＷｅｂアドレスを抽出する手段として機能し、
Ｅメールアドレス登録プログラムを含むＷｅｂデータを送信元のＷｅｂアドレスにあてて送信する手段として機能し、
通信キャリアサーバは、
Ｅメールアドレス登録プログラム作成サーバから送信されたＷｅｂデータを携帯端末の通信装置へ送信する手段として機能し、
携帯端末の通信装置は、
ＷｅｂデータからＥメールアドレス登録プログラムを抽出して自らに書き込む手段として機能し、
非接触ＩＣ媒体に通信装置のＥメールアドレスを書き込む手段として機能し、
これにより携帯端末の非接触ＩＣ媒体からＥメールアドレスが読出し可能になされることを特徴とする。
【００１１】
本発明の請求項２に係る情報配信システムは、
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続される配信情報データベースと、を有する情報配信部と、
を備える情報配信システムであって、
請求項１のＥメールアドレス登録システムにより非接触ＩＣ媒体にＥメールアドレスが書き込まれた携帯端末が何れかの区分表示部にあてがわれた場合、
この区分表示部に裏設されるＲ／Ｗ部は、
携帯端末の非接触ＩＣ媒体からＥメールアドレスを読み出す読出手段として機能し、
ＥメールアドレスにＲ／Ｗ部識別データを付加して中央処理部へ送信する送信手段として機能し、
情報選択端末の中央処理部は、
ＥメールアドレスおよびＲ／Ｗ部識別データを情報配信部へ送信する送信手段として機能し、
情報配信部の情報配信サーバは、
配信情報データベースからＲ／Ｗ部識別データと関連付けられて登録されている情報提供元の配信情報データを読み出す読出手段として機能し、
Ｅメールアドレスで特定される携帯端末の通信装置へ、配信情報データを含むＥメールデータを配信する配信手段として機能し、
携帯端末の非接触ＩＣ媒体により情報選択端末で選択された配信情報データを含むＥメールデータが、携帯端末の通信装置へ配信されることを特徴とする。
【００１２】
また、本発明の請求項３に係る情報配信システムは、
請求項２に記載の情報配信システムにおいて、
前記情報選択端末は、
Ｒ／Ｗ部の上面に区分表示部を直接貼付して情報表示部を形成することを特徴とする。
【００１３】
また、本発明の請求項４に係る情報配信システムは、
請求項２に記載の情報配信システムにおいて、
前記情報選択端末はボードを備え、
ボード上に複数の区分表示部が貼付けられるとともに、区分表示部の裏側にＲ／Ｗ部が設けられることを特徴とする。
【発明の効果】
【００１４】
本発明によれば、携帯端末の非接触ＩＣ媒体にＥメールアドレスを記憶させるＥメールアドレス登録システムを提供することができる。
また、非接触ＩＣ媒体を内蔵する携帯端末を用いて、希望する情報データを配信してその場で配信されたか否かを確認できるような情報配信システムを提供することができる。
【発明を実施するための最良の形態】
【００１５】
本発明のＥメールアドレス登録システムおよび情報配信システムについて以下に説明する。まず、本発明のＥメールアドレス登録システムを実施するための最良の形態について図に基づき説明する。図１は本形態のＥメールアドレス登録システム１の構成図である。このＥメールアドレス登録システム１は、携帯端末１０、基地局２０、移動体通信回線３０、通信キャリアサーバ４０、インターネット回線５０、Ｅメールアドレス登録プログラム作成サーバ６０を備えている。
【００１６】
続いて、各構成について以下に説明する。
携帯端末１０は、少なくともＥメールデータおよびＷｅｂデータを送受信するようになされた通信装置と、読み書き可能な非接触ＩＣ媒体と、が一体に搭載されたものである。この携帯端末１０は、例えば「おサイフケータイ」という非接触ＩＣ媒体を含む携帯電話である。
この携帯端末１０の非接触ＩＣ媒体は、ショッピング時の金銭の授受を可能とする金銭データ、予約した航空チケットの受取りを可能とする航空チケットデータ、駅では乗車券や定期券として改札の通過を可能とする鉄道チケットデータ、映画・ライブチケット・スポーツ競技場等の入場チケットデータ、買い物からゲームまでのポイント制を採用する場合のポイントカードとして使うためのポイントデータ、社員証やカギとしての機能を有する認証データ、など各種データを登録でき、所定の箇所に携帯端末１０をかざすことで、非接触ＩＣ媒体から上記のデータの送受信がなされ、データ処理により金銭授受等の各種データ処理を行えるようになっている。
また、この携帯端末１０の通信装置は、Ｊａｖａ言語によるプログラムの実行環境（Ｊａｖａ仮想マシン）が搭載されており、Ｊａｖａ言語（の縮小版）で作成したアプリケーションプログラムをダウンロードして実行することができる。
【００１７】
基地局２０は、携帯端末１０の通信装置と通信するようになされている。
移動体通信回線３０は、基地局２０と接続されて遠隔地にある通信キャリアサーバ４０と通信可能に接続される。移動体通信には各種形式があるが、上記のように携帯端末１０と携帯メールサーバ４１との間でＥメールデータの双方向通信、および、携帯端末１０とＷｅｂサーバ４４との間でＷｅｂデータの双方向通信、が出来れば良く、形式を特に問わない。
【００１８】
通信キャリアサーバ４０は、詳しくは携帯メールサーバ４１、メールボックス４２、ゲートウェイサーバ４３、Ｗｅｂサーバ４４を備える。ここに通信キャリアとは、例えば、携帯電話会社などを指す用語である。
これらサーバやメールボックスは、例えば図１で示したように接続されるが、これ以外にも各種の接続方式が可能である。
移動体通信回線３０に携帯メールサーバ４１，Ｗｅｂサーバ４４が接続されている。この移動体通信回線３０、携帯メールサーバ４１およびＷｅｂサーバ４４では通信キャリア独自のプロトコルで運営されている。携帯メールサーバ４１、Ｗｅｂサーバ４４は、それぞれゲートウェイサーバ４３に接続される。ゲートウェイサーバ４３は、公衆回線であるインターネット回線５０に接続されており、ゲートウェイサーバ４３は、通信キャリア独自のプロトコルと、インターネット回線５０で使用されるＳＭＴＰ・ＨＴＴＰ等の標準プロトコルと、を変換する。なお、これらの具体的な動作については後述する。
【００１９】
インターネット回線５０は、通常の公衆回線や、通信会社所有の専用線など、各種の線からなるものであり、いわゆるインターネットが通信可能に構成されたものである。
インターネット回線５０は各種回線があるが、上記のように携帯端末１０・携帯メールサーバ４１を経てゲートウェイサーバ４３とメールサーバ６１との間でＥメールデータの双方向通信、および、携帯端末１０・Ｗｅｂサーバ４４を経てゲートウェイサーバ４３とＷｅｂサーバ６４との間でＷｅｂデータの双方向通信、が出来れば良く、回線の種類等を特に問わない。
【００２０】
Ｅメールアドレス登録プログラム作成サーバ６０は、詳しくはメールサーバ６１、メールボックス６２、アプリ作成サーバ６３、Ｗｅｂサーバ６４を備える。これらは、例えば図１で示したように接続されるが、これ以外にも各種の接続方式が可能である。
これらＥメールアドレス登録プログラム作成サーバ６０の各サーバ・メールボックスではインターネット回線５０で使用される標準プロトコルが用いられており、Ｅメールアドレス登録プログラム作成サーバ６０は通常の市販品等で構築できるため、コスト低減に寄与する。
Ｅメールアドレス登録システム１はこのようなものである。
【００２１】
続いて、このＥメールアドレス登録システム１０による登録処理について図１を参照しつつ説明する。
後述する情報配信システム１０００（図２参照）の利用を所望する携帯端末保持者は、情報配信システム１０００についての説明を読んで、Ｅメールアドレス登録プログラム作成サーバ６０を送信先とするＥメールアドレスを携帯端末１０の通信装置を通じて入力操作し、このＥメールアドレスを送信先とするＥメールデータを送信するように携帯端末１０の通信装置を送信制御する。このＥメールデータは送信先のＥメールアドレスを含むデータである。この場合、本文は何も記載がなかったり、あるいは、適当な記号・文字・数字の列（例えば「あああ」のような文字列）としても良い。また送信先のＥメールアドレスの入力は、２次元バーコード（ＱＲコード）で用意し、カメラでバーコードスキャンすることで、キー入力作業は不要とさせられる。このように携帯端末１０の通信装置は、Ｅメールアドレス登録プログラム作成サーバ６０へＥメールデータを送信する手段として機能する。
【００２２】
通信キャリアサーバ４０の携帯メールサーバ４１は、携帯端末１０から送信されたＥメールデータを受信し、このＥメールデータに携帯端末１０のＥメールアドレスを付加した新たなＥメールデータとしてから、ゲートウェイサーバ４３へＥメールデータを転送する手段として機能する。
ゲートウェイサーバ４３は、通信キャリア独自のプロトコルによるＥメールデータを、インターネット回線５０のＳＭＴＰ等の標準プロトコルによるＥメールデータに変換する手段として機能し、インターネット回線５０を介してＥメールアドレス登録プログラム作成サーバ６０へ送信する手段として機能する。
【００２３】
Ｅメールアドレス登録プログラム作成サーバ６０のメールサーバ６１は、通信キャリアサーバ４０から送信されたＥメールデータを受信し、メールボックス６２に蓄積する手段として機能する。
【００２４】
Ｅメールアドレス登録プログラム作成サーバ６０のアプリ作成サーバ６３は、受信したＥメールデータを、メールサーバ６１を通じてメールボックス６２からアプリ作成サーバ６３へ読み出す手段として機能する。
アプリ作成サーバ６３は、読み出したＥメールデータから送信元のＥメールアドレスを抽出する手段として機能する。
アプリ作成サーバ６３は、抽出した送信元のＥメールアドレスを用いてＥメールアドレス登録プログラムを作成する手段として機能する。Ｅメールアドレス登録プログラムは、送信元のＥメールアドレスを非接触ＩＣ媒体に書き込むように携帯端末１０の通信装置を制御するプログラムである。このＥメールアドレス登録プログラムは、Java言語で作成されたアプリケーションプログラムであり、Ｅメールデータが送信される都度、その携帯端末１０に応じて作成される。
アプリ作成サーバ６３は、Ｅメールアドレス登録プログラムをＷｅｂサーバ６４へ登録する手段として機能する。このＷｅｂサーバ６４はダウンロードさせるサイトを運用するサーバである。
アプリ作成サーバ６３は、Ｅメールアドレス登録プログラムをダウンロードさせるサイトを指すＷｅｂアドレス（ＵＲＬ）をリンクした返信Ｅメールデータを生成する手段として機能する。アプリ作成サーバ６３は、返信Ｅメールデータをメールサーバ６１に送信する手段として機能する。
【００２５】
Ｅメールアドレス登録プログラム作成サーバ６０のメールサーバ６１は、インターネット回線５０を介して携帯端末１０へ返信Ｅメールデータを送信する手段として機能する。
【００２６】
通信キャリアサーバ４０のゲートウェイサーバ４３は、インターネット回線５０のＳＭＴＰ等の標準プロトコルによる返信Ｅメールデータを、通信キャリア独自のプロトコルによる返信Ｅメールデータに変換する手段として機能する。
通信キャリアサーバ４０の携帯メールサーバ４１は、ゲートウェイサーバ４３から送信された返信Ｅメールデータを受信し、メールボックス４２に書き込むともに携帯端末１０の通信装置へメールが受信されたことを通知する手段として機能する。
【００２７】
携帯端末１０の通信装置は、移動体通信回線３０および基地局２０を経て、携帯メールサーバ４１のメールボックス４２から送信された返信Ｅメールデータを読み出して受信する手段として機能する。
携帯端末１０の通信装置を操作して返信Ｅメールデータを表示させると、本文にリンクされたＷｅｂアドレスが表示される。このＷｅｂアドレスを選択し、Ｗｅｂアドレスで指定されるサイトへアクセスすると携帯端末１０の通信装置はＷｅｂコマンドを送信する手段として機能する。
【００２８】
通信キャリアサーバ１０のＷｅｂサーバ４４は、携帯端末１０の通信装置から基地局２０・移動体通信回線３０を介して送信されたＷｅｂコマンドを受信し、ゲートウェイサーバ４３へＷｅｂコマンドを転送する手段として機能する。ゲートウェイサーバ４３は、通信キャリア独自のプロトコルによるＷｅｂコマンドを、インターネット回線５０のＨＴＴＰ等の標準プロトコルによるＷｅｂコマンドに変換する手段として機能し、インターネット回線５０を介してＥメールアドレス登録プログラム作成サーバ６０へ送信する手段として機能する。
【００２９】
Ｅメールアドレス登録プログラム作成サーバ６０のＷｅｂサーバ６４は、通信キャリアサーバ４０のＷｅｂサーバ４４から送信されたＷｅｂコマンドを受信する手段として機能し、Ｗｅｂサーバ６４から送信元のＷｅｂアドレスを抽出する手段として機能し、この送信元のＷｅｂアドレスにあてて、Ｅメールアドレス登録プログラムを含むＷｅｂデータをインターネット回線５０へ送信する手段として機能する。
【００３０】
通信キャリアサーバ４０のゲートウェイサーバ４３は、インターネット回線５０のＨＴＴＰ等の標準プロトコルにより送信されるＷｅｂデータを、通信キャリア独自のプロトコルによるＷｅｂデータに変換する手段として機能する。
【００３１】
通信キャリアサーバ４０のＷｅｂサーバ４４は、この変換されたＷｅｂデータを携帯端末１０の通信装置へ送信する手段として機能する。携帯端末１０の通信装置は、移動体通信回線３０・基地局２０を経てＷｅｂデータを受信する手段として機能する。
【００３２】
携帯端末１０の通信装置は、ＷｅｂデータからＥメールアドレス登録プログラムを抽出してこのＥメールアドレス登録プログラムを自らに書き込む手段として機能し、非接触ＩＣ媒体に通信装置のＥメールアドレスを書き込む手段として機能する。
このような一連の処理により携帯端末１０の非接触ＩＣ媒体からＥメールアドレスが読出し可能になされる。また、携帯端末１０の通信装置は、非接触ＩＣ媒体からＥメールアドレスを読み出して表示できるようにする表示プログラムも書き込まれるようにすれば、携帯端末１０でもＥメールアドレスを管理できるようになり、便利である。この表示プログラムもＥメールアドレス登録プログラムの書き込みと同時に書き込むようにすれば、別途プログラム書き込み操作が不要となり便利である。
【００３３】
続いてこのような携帯端末１０を用いる本発明を実施するための最良の形態である情報配信システムについて図を参照しつつ説明する。図２は本形態の情報配信システムの概略図、図３は本形態の情報配信システムの構成図である。この情報配信システム１０００は、情報選択端末１００、情報配信部２００を備える。そして、全体の情報配信システムとしては、図３で示すように、さらに携帯端末１０、移動体通信回線３０を備えるものである。
【００３４】
情報選択端末１００は、図３で示すように、更に中央処理部１１０、出力部１２０、セレクタ１３０、複数個（図１，２では８個）のリード／ライト部（Ｒ／Ｗ部）１４０、複数箇所（図１，２では８箇所）の発光部１５０、通信線１６０を備えている。また、後述するが、図６（ａ）で示すように、情報選択端末１００では区分けされた複数の区分表示部１７２でそれぞれ情報を表示する情報表示部１７０も備える。この情報選択端末１００内部では、この区分表示部１７２毎にＲ／Ｗ部１４０が裏設される。これら複数のＲ／Ｗ部１４０は、通信線１６０にバス接続されて、中央処理部１１０と通信するようになされている。
【００３５】
ここで、このＲ／Ｗ部１４０について先に図を参照しつつ説明する。図４はＲ／Ｗ部１４０のブロック構成図、図５はＲ／Ｗ部１４０の外観斜視図である。Ｒ／Ｗ部１４０は、図４で示すように、Ｒ／Ｗ制御部１４１、通信ポート１４２、読み書き部１４３、汎用入力部１４４、接点出力部１４５を備え、これらは図５で示すようなケース１４６に収容されている。本形態では通信ポート１４２が通信線１６０に接続されて通信をするというものであって、汎用入力部１４４、接点出力部１４５はオプションであり、少なくともＲ／Ｗ制御部１４１、通信ポート１４２、読み書き部１４３をケース１４６に備えていれば良い。このＲ／Ｗ部１４０のＲ／Ｗ制御部１４１と中央処理部１１０（図３参照）とが通信できるようになされている。
【００３６】
話を情報選択端末１００に戻す。情報選択端末の表面には情報表示部が形成される。この情報表示部について図を参照しつつ説明する。図６は、情報配信システムの使用を説明する説明図であって、図６（ａ）は情報選択端末の使用図、図６（ｂ）は携帯端末側の表示説明図である。
図６（ａ）で示すように、情報選択端末１００の情報表示部１７０は、ボード１７１と、複数個（図６（ａ）では８個であり、Ｒ／Ｗ部１４０と同数である）の区分表示部１７２と、を備えている。
【００３７】
このボード１７１は、例えば、Ａ３用紙サイズ(２９７×４２０ｍｍ)と同じサイズとなっており、表面には紙の印刷物が貼付できる構造である。情報表示部１７０は、図６（ａ）で示すように、標準構成では４列×２行の８領域に区分してあり、区分けされた８領域の区分表示部１７２でそれぞれ別の情報を表示できるようになされている。カラープリンター等で表記した印刷物である区分表示部１７２がボード１７１に８枚貼付けられて情報表示部１７０が形成される。この情報表示部１７０としては、例えば、メニュー、飲食店での電子クーポン券の概要、携帯有料コンテンツ（携帯ゲーム・着信メロディなど）内容や手続料金、観光案内概要、カタログ概要などである。このように区分表示部１７２を個別に印刷するため、記載変更に際しても対応しやすくしている。
【００３８】
このボード１７１の裏側には区分表示部１７２と同じ大きさの収納部が複数区分された収納ケースが設けられ、これら収納部毎にそれぞれＲ／Ｗ部１４０が収容され、配線等なされた上で上面カバーであるボード１７１で収納ケースが覆われて固定され、情報選択端末１００が形成される。
なお、Ｒ／Ｗ部１４０はセレクタ１３０により使用か不使用かを選択できるようになされており、必要なＲ／Ｗ部１４０のみ使用することができる。また、出力部１２０は、例えば、図７で示すように、ディスプレイ１２１、プリンタ１２２である。
【００３９】
続いて、情報配信部２００について説明する。情報配信部２００は、図２，図３で示すように、情報配信サーバ２１０、配信情報データベース２２０を備える。
情報配信サーバ２１０は、情報選択端末１００の中央処理部１１０と通信可能になされている。また、この情報配信サーバ２１０は、携帯端末１０と移動体通信回線３０を介してＥメールデータ・Ｗｅｂデータの送受信が可能である。
配信情報データベース２２０は、情報配信サーバ２１０に接続され、Ｒ／Ｗ部１４０がそれぞれ個別に有するＲ／Ｗ部識別データと、各種コンテンツである配信情報データとが関連付けられて登録されている。これら登録は多数の情報提供元のコンテンツについてなされている。
【００４０】
続いて本形態の情報配線システム１０００による情報配信について説明する。この情報配信システム１０００では、説明の具体化のため、例を挙げて説明する。例えば、展示場などで着信メロディ情報の配信を希望する場合について説明する。入場者は、上記のように予め自らの携帯端末１０の非接触ＩＣ媒体にＥメールアドレスが登録されているものとする。
また、配信情報データベース２２０は、予めＲ／Ｗ部識別データと配信情報データとが関連付けられて登録されている。
これらのような登録は展示会が開催される前に予め終了している。
【００４１】
そして、展示会会場にて、展示物に興味を持った携帯端末１０の所持者が、図６（ａ）で示すように、希望する情報を表示する区分表示部１７２に携帯端末１０（の非接触ＩＣ媒体）を宛った場合、以下のように動作する。
まず、区分表示部１７２に裏設されるＲ／Ｗ部１４０のＲ／Ｗ制御部１４１は、読み書き部１４３の図示しないアンテナと電磁結合した携帯端末１０（の非接触ＩＣ媒体）からＥメールアドレスを読み出す読出手段として機能する。この際、Ｒ／Ｗ制御部１４１は、読出し中は、発光部１５０の詳細例として図４で示した動作表示発光部１５１を点灯・点滅させて動作中であることを表示する表示手段として機能する。さらに、動作不良時（例えば読出し不良時）に限ってであるが、Ｒ／Ｗ制御部１４１は、発光部１５０の詳細例として図４で示したエラー表示発光部１５２を点灯・点滅させてエラーが発生したことを表示する表示手段として機能する。動作不良時は再度携帯端末１０（の非接触ＩＣ媒体）を区分情報部１７２にかざすこととなる。さて、読出し成功時に、Ｒ／Ｗ制御部１４１は、この読み出したＥメールアドレスに対し、Ｒ／Ｗ部１４０に個々に割り当てられたＲ／Ｗ部識別データを加えて、中央処理部１１０へ送信する送信手段として機能する。
【００４２】
情報選択端末１００の中央処理部１１０は、ＥメールアドレスおよびＲ／Ｗ部識別データを受信し、これらＥメールアドレスおよびＲ／Ｗ部識別データを含む通信データを生成し、情報配信部２００の情報配信サーバ２１０へ送信する送信手段として機能する。通信データが情報配信サーバ２１０へ送信される。
情報配信部２００の情報配信サーバ２１０は、通信データを受信してこの通信データからＥメールアドレスおよびＲ／Ｗ部識別データを読み出す読出し手段として機能する。
【００４３】
次に、情報配信部２００の情報配信サーバ２１０は、読み出したＲ／Ｗ部識別データを参照するために、配信情報データベース２２０へアクセスし、Ｒ／Ｗ部識別データと関連付けられて登録されている情報提供元の配信情報データを読み出す読出手段として機能する。
【００４４】
情報配信部２００の情報配信サーバ２１０は、読み出した配信情報データを含むＥメールデータを生成し、さらにＥメールアドレスで特定される携帯端末１０へこのＥメールデータを配信する配信手段として機能する。
Ｅメールデータが移動体通信回線３０を介して携帯端末１０へ送信される。図示しないが、情報配信サーバ２１０と移動体通信回線３０との間には、上記のような通信キャリアサーバ４０が介在することとなる。携帯端末１０はこのＥメールデータを受信し、図６（ｂ）で示すように、所望の情報（図６（ｂ）では着信メロディサイトの情報）を含むＥメールを表示する。
【００４５】
このＥメールデータの本文は、サービス内容によって異なるが、例えば、事業者が運営するサイトへ誘導するリンクデータや、事業者が運営するサイトのＷｅｂアドレス（ＵＲＬ）を表示するものである。
また、情報選択端末１００の区分表示部１７２が飲食店に関する資料を貼り付けたならば、希望する店の情報を表示する携帯コンテンツのＷｅｂサイトへ誘導したり、Ｅメールおよび郵送でその店のクーポンなどが届く。
また、情報選択端末１００の区分表示部１７２が観光地などのポスターを貼付けたならば、Ｅメールおよび郵送で観光地情報が届く。
また、情報選択端末１００の区分表示部１７２が商品であるならば、Ｅメールおよび郵送で商品情報が届く。
このように、飲食店のクーポン券配布や携帯コンテンツへの誘導、カタログ請求などでの利用が可能となる。
【００４６】
本形態の情報配信システム１０００では、このようにして携帯端末１０（の非接触ＩＣ媒体）をあてがって選択された区分表示部１７２に関連する情報配信データを含むＥメールデータが、携帯端末１０（の非接触ＩＣ媒体）の所持者の携帯電話等である携帯端末へ配信されるため、情報取得できたことがその場で確認でき、印刷物での情報提供を可能な限り少なくなるとともに情報取得が極めて容易となったため、情報取得数が増大し、情報活用・情報提供が進んで、情報利用者および情報提供者の双方に取って好ましいという利点がある。
【００４７】
続いて、先に説明した形態に応用機能を付加した形態について図７を参照しつつ説明する。利用者のＥメールアドレスが非接触ＩＣ媒体に未だ未登録である携帯端末１０を所持しているものとする。このような状態は、例えば、新規に携帯端末１０を購入した利用者が、情報配信システム１０００を利用するような場合が考えられる。
【００４８】
図７で示すように、このような非接触ＩＣ媒体所持者が希望する情報を表示する区分表示部１７２に非接触ＩＣ媒体５０があてがわれた場合、
情報選択端末１００の区分表示部１７２に裏設されるＲ／Ｗ部１４０のＲ／Ｗ制御部１４１は、読み書き部１４３の図示しないアンテナと電磁結合した携帯端末１０の非接触ＩＣ媒体からＥメールアドレスが読み出せないで未登録であることを検出する手段として機能する。この際、Ｒ／Ｗ制御部１４１は、通常の読出し中は、図３で示した動作表示発光部１５１を点灯・点滅させて動作中であることを表示する表示手段として機能するが、今回は読出し不良となるため、Ｒ／Ｗ制御部１４１は、エラー表示発光部１５２を点灯・点滅させてエラーが発生したことを表示する表示手段として機能する。そして、Ｒ／Ｗ制御部１４１は、この未登録であることを示す未登録検出データを、中央処理部１１０へ送信する送信手段として機能する。
【００４９】
情報選択端末１００の中央処理部１１０は、未登録検出データの検出時に表示する表示データを中央処理部１１０に接続される図示しない記憶部（例えばメモリやハードディスク）から読み出し、これら表示データを出力部１２０に出力する出力手段として機能する。例えば、図６(ａ）で示すように、ディスプレイ１２１やプリンタ１２２に上記のＥメールアドレス登録システム１の利用方法およびアクセスすべきＥメールアドレス（図７ではＥメールアドレス登録プログラム作成サーバ６０のメールサーバ６１へのＥメールアドレス「××．○○．ｊｐ」）が表示される。
そして、Ｅメールアドレス登録システム１を利用して、携帯端末１０の非接触ＩＣ媒体にＥメールアドレスを登録することで、先に説明した手法で情報配信システム１０００を利用することとなる。
【００５０】
以上各種形態について説明した。これら形態では各種の変形形態が可能である。例えば、情報選択端末１０において、収納ケースを複数区分せずに、上面カバーの各メニュー位置に対応してＲ／Ｗ部１４０のみを、２行４列のマトリクス状に配置し、これら複数のＲ／Ｗ部１４０を一括制御するＣＰＵ及びＬＡＮボードを備え、収納ケース全体でリーダ／ライタユニットを構成してもよい。
【００５１】
また、Ｒ／Ｗ部１４０の接点出力をコンピュータ（図示せず）に接続し、このコンピュータが上面カバー表記された各メニューに対し、リクエストされたメニュー頻度数をカウントして、利用頻度の多いメニュー項目を充実させ、利用頻度の少ないメニュー項目を速やかに入れ替える等情報配信内容を利用者の希望に適応しやすくしている。
【００５２】
また、情報選択端末１００は、ボード１７１上に複数の区分表示部１７２が貼付けられるとともに、区分表示部１７２の裏側にＲ／Ｗ部１４０が設けられたものとして説明したが、これ以外にも、Ｒ／Ｗ部１４０の上面に区分表示部を貼付して情報表示部を形成するようにしても良い。これら構成は事情に応じて適宜選択される。
【００５３】
また、情報配信システム１は、情報配信サービスをＡＳＰ（サーバ運用型のアプリケーションレンタル方式）で提供するなど電気通信事業者が担当し、独自の情報内容を盛り込んだ情報選択端末のコンテンツ開発を別途事業者が提供するなどして、各社得意な分野を分担しながら、より利用者の要望に即応して充実した情報配信システムとすることができる。
【図面の簡単な説明】
【００５４】
【図１】本発明を実施するための最良の形態のＥメールアドレス登録システムの構成図である。
【図２】本発明を実施するための最良の形態の情報配信システムの概略図である。
【図３】本発明を実施するための最良の形態の情報配信システムの構成図である。
【図４】Ｒ／Ｗ部のブロック構成図である。
【図５】Ｒ／Ｗ部の外観斜視図である。
【図６】情報配信システムの使用を説明する説明図であって、図６（ａ）は情報選択端末の使用図、図６（ｂ）は携帯端末側の表示説明図である。
【図７】情報配信システムの応用機能を説明する説明図である。
【図８】従来技術の配信データ管理装置の説明図である。
【符号の説明】
【００５５】
１：Ｅメールアドレス登録システム
１０：携帯端末
２０：基地局
３０：移動体通信回線
４０：通信キャリアサーバ
４１：携帯メールサーバ
４２：メールボックス
４３：ゲートウェイサーバ
４４：Ｗｅｂサーバ
５０：インターネット回線
６０：Ｅメールアドレス登録プログラム作成サーバ
６１：メールサーバ
６２：メールボックス
６３：アプリ作成サーバ
６４：Ｗｅｂサーバ
１０００：情報配信システム
１００：情報選択端末
１１０：中央処理部
１２０：出力部
１２１：ディスプレイ
１２２：プリンタ
１３０：セレクタ
１４０：リード／ライト部（Ｒ／Ｗ部）
１４１：Ｒ／Ｗ制御部
１４２：通信ボード
１４３：読み書き部
１４４：汎用入力部
１４５：接点出力部
１４６：ケース
１５０：発光部
１５１：動作表示発光部
１５２：エラー表示発光部
１６０：通信線  
１７０：情報表示部
１７１：ボード
１７２：区分表示部
２００：情報配信部
２１０：情報配信サーバ
２２０：配信情報データベース
【図１】
2006330903.tif 000003
【図２】
2006330903.tif 000004
【図３】
2006330903.tif 000005
【図４】
2006330903.tif 000006
【図５】
2006330903.tif 000007
【図６】
2006330903.tif 000008
【図７】
2006330903.tif 000009
【図８】
2006330903.tif 000010